(57)【要約】【課題】  鈴を鳴らす必要がある場所では鈴が鳴る状態にし、鈴を鳴らす必要がない場所では鈴が鳴らない状態にできる鈴を提供する。【解決手段】  円錐状を成す鐘状の鈴本体１の上部に孔２を設け、孔２の内部に雌ネジ部３を設ける。吊り下げ具１１の中間部に雌ネジ部３に螺合する雄ネジ部１２を設ける。雄ネジ部１２の下部に振り子吊り下げ部１３を設ける。振り子吊り下げ部１３の幅や厚みは、孔２の内径より小さくする。振り子吊り下げ部１３に孔１４を設ける。振り子１０の形状は、下部が膨らみ、中間部がくびれ、上部が膨らんでいる。振り子１０の中間部と上部の幅や厚みは孔２の内径より小さくする。振り子１０の下部の幅や厚みは孔２の内径より大きくする。振り子１０の上部に孔１５を設ける。孔１５と孔１４に１以上のリング１６を通して、振り子１０を振り子吊り下げ部１３に取り付ける。リング１６の外径は孔２の内径より小さくする。【選択図】  図２
2005328815.tif 000002
【特許請求の範囲】
【請求項１】
下記の要件を備えて成ることを特徴とする携帯式の熊よけ鈴。
（イ）鈴本体１や振り子１０の材質は真鍮鋳物製にする。
（ロ）円錐状を成す鐘状の鈴本体１の上部に孔２を設ける。
（ハ）孔２の内部に雌ネジ部３を設ける。
（ニ）鈴本体１の厚みは、開口部を形成する開口部枠４から孔２が設けられている鈴本体１の上部まで漸増する。
（ホ）鈴本体１を吊り下げる吊り下げ具１１の中間部に、孔２の内部に設けた雌ネジ部３に螺合する雄ネジ部１２を設ける。
（ヘ）吊り下げ具１１の雄ネジ部１２の下部に、振り子１０を吊り下げるための振り子吊り下げ部１３を設ける。
（ト）振り子吊り下げ部１３の幅や厚みは、鈴本体１の上部に設けた孔２の内径より小さくする。
（チ）振り子吊り下げ部１３に孔１４を設ける。
（リ）振り子１０の形状は、下部が膨らみ、中間部がくびれ、上部が膨らんでいる。
（ヌ）振り子１０の中間部と上部の幅や厚みは、鈴本体１の上部に設けた孔２の内径より小さくする。
（ル）振り子１０の下部の幅や厚みは、鈴本体１の上部に設けた孔２の内径より大きくする。
（ヲ）振り子１０の上部に孔１５を設ける。
（ワ）孔１５と孔１４に１以上のリング１６を通して、振り子１０を振り子吊り下げ部１３に取り付ける。
（カ）リング１６の外径は、鈴本体１の上部に設けた孔２の内径より小さくする。
（ヨ）吊り下げ具１１の上部に突起部１７を設ける。
（タ）突起部１７に孔１８を設ける。
【発明の詳細な説明】
【技術分野】
【０００１】  この発明は、ハイキング、山野草取り、きのこ取り、釣などの際に、熊に襲われることを防ぐための鐘状の携帯式熊よけ鈴に関するものである。
【背景技術】
【０００２】  図１で示すように、従来の鐘状の携帯式熊よけ鈴は下記のような構造になっている。
（イ）鐘状の鈴本体１００の内部に振り子２００が取り付けてある。
（ロ）鈴本体１００の上部に突起部３００を設け、突起部３００に鈴本体１００を吊り下げるための孔４００が設けてある。
（ハ）孔４００に鎖や紐を通し、鈴本体１００を衣類やリュックサックなどに吊り下げる。
（ニ）衣類やリュックサックなどが動くとそれに連れて振り子２００が揺れて鈴本体１００に当たり鈴が鳴る。
【発明の開示】
【発明が解決しようとする課題】
【０００３】  鈴本体１００を衣類やリュックサックなどに吊り下げていると、鈴本体１００を鳴らす必要がない場所でも鈴本体１００が鳴ってしまうという欠点があった。
【課題を解決するための手段】
【０００４】  そこで、鈴を鳴らす必要がある場所では鈴を鳴らせる状態にし、鈴を鳴らす必要がない場所では鈴を鳴らせない状態にできる鈴を提供しようと考え、下記の要件を備えて成ることを特徴とする鐘状の携帯式熊よけ鈴を発明した。
（イ）鈴本体１や振り子１０の材質は真鍮鋳物製にする。
（ロ）円錐状を成す鐘状の鈴本体１の上部に孔２を設ける。
（ハ）孔２の内部に雌ネジ部３を設ける。
（ニ）鈴本体１の厚みは、開口部を形成する開口部枠４から孔２が設けられている鈴本体１の上部まで漸増する。
（ホ）鈴本体１を吊り下げる吊り下げ具１１の中間部に、孔２の内部に設けた雌ネジ部３に螺合する雄ネジ部１２を設ける。
（ヘ）吊り下げ具１１の雄ネジ部１２の下部に、振り子１０を吊り下げるための振り子吊り下げ部１３を設ける。
（ト）振り子吊り下げ部１３の幅や厚みは、鈴本体１の上部に設けた孔２の内径より小さくする。
（チ）振り子吊り下げ部１３に孔１４を設ける。
（リ）振り子１０の形状は、下部が膨らみ、中間部がくびれ、上部が膨らんでいる。
（ヌ）振り子１０の中間部と上部の幅や厚みは、鈴本体１の上部に設けた孔２の内径より小さくする。
（ル）振り子１０の下部の幅や厚みは、鈴本体１の上部に設けた孔２の内径より大きくする。
（ヲ）振り子１０の上部に孔１５を設ける。
（ワ）孔１５と孔１４に１以上のリング１６を通して、振り子１０を振り子吊り下げ部１３に取り付ける。
（カ）リング１６の外径は、鈴本体１の上部に設けた孔２の内径より小さくする。
（ヨ）吊り下げ具１１の上部に突起部１７を設ける。
（タ）突起部１７に孔１８を設ける。
【発明の効果】
【０００５】  鈴を鳴らす必要がある場所では鈴が鳴る状態にし、鈴を鳴らす必要がない場所では鈴が鳴らない状態にできるので、不要な鈴の音を発生させなくて済む。
【発明を実施するための最良の形態】
【０００６】  以下、本発明を実施するための最良の形態を図２、３に基づいて説明する。
まず、鈴本体１や振り子１０の材質であるが、鈴の音色を良くするために金属製が良い。その中でも真鍮鋳物製が優れている。【０００７】  円錐状を成す鐘状の鈴本体１の上部に孔２を設ける。そして、その孔２の内部に雌ネジ部３を設ける。これは、鈴本体１に吊り下げ具１１を脱着させるためである。【０００８】  鈴本体１の厚みは、鈴本体１の開口部枠４から孔２が設けられている鈴本体１の上部まで漸増させる。これは、鈴本体１全体の厚みを均一にすると鈴の音色が悪くなるためである。
例えば、鈴本体１の開口部枠４の外径が約４０ｍｍで鈴本体１の高さが約４０ｍｍの場合、開口部枠４の厚みを約３ｍｍとし、そこから孔２が設けられている鈴本体１の上部までの厚みを約５ｍｍと漸増させると、鈴本体１全体の厚みを均一の約３ｍｍとしたときに比べ、鈴の音色が良くなるからである。【０００９】  鈴本体１を吊り下げる吊り下げ具１１の中間部に、鈴本体１の孔２の内部に設けた雌ネジ部３に螺合する雄ネジ部１２を設ける。これは、鈴本体１に吊り下げ具１１を脱着させるためである。【００１０】  吊り下げ具１１の雄ネジ部１２の下部に、振り子１０を吊り下げるための振り子吊り下げ部１３を設ける。
振り子吊り下げ部１３の幅や厚みは、鈴本体１の上部に設けた孔２の内径より小さくする。これは、振り子吊り下げ部１３が孔２を往来できるようにするためである。【００１１】  振り子吊り下げ部１３に孔１４を設ける。【００１２】  振り子１０の形状は、下部が膨らんでいて、中間部がくびれ、上部が膨らんでいる。これは、振り子１０の鈴本体１への当たりを良くするためである。【００１３】  振り子１０の中間部と上部の幅や厚みは、鈴本体１の上部に設けた孔２の内径より小さくする。これは、振り子１０の中間部と上部が孔２を往来できるようにするためである。【００１４】  振り子１０の下部の幅や厚みは、鈴本体１の上部に設けた孔２の内径より大きくする。こうすれば、振り子１０が鈴本体１の孔２から抜け出なくなるとともに、雌ネジ部３と雄ネジ部１２を外した場合、振り子１０の下部が鈴本体１を止め支えることができる。【００１５】  振り子１０の上部に孔１５を設ける。【００１６】  振り子吊り下げ部１３と振り子１０の取り付け方は、振り子１０が揺れ易くするために、リング１６を１以上使用する。
このリング１６を、振り子吊り下げ部１３に設けた孔１４と振り子１０の上部に設けた孔１５に通す。
このリング１６の外径は、鈴本体１の上部に設けた孔２の内径より小さくする。これは、リング１６が孔２を往来できるようにするためである。【００１７】  鈴本体１を吊り下げる吊り下げ具１１の上部に突起部１７を設ける。その突起部１７に孔１８を設ける。この孔１８に紐や鎖などを通して、衣類やリュックサックなどに本発明を吊り下げる。
【使用例】
【００１８】  本発明を使用する場合、つまり、鈴の音が鳴る状態にする場合は、鈴本体１の雌ネジ部３と吊り下げ具１１の雄ネジ部１２を螺合させる。
【００１９】  本発明を使用しない場合、つまり、鈴の音が鳴らない状態にする場合は、鈴本体１の雌ネジ部３と吊り下げ具１１の雄ネジ部１２を緩めて外す。そして、鈴本体１を下げる。
【産業上の利用可能性】
【０１００】  本発明は風鈴に使用できる。風鈴は吊るしたままで置くため、深夜には騒音になりやすい。そこで、深夜に鈴を鳴らさないようにネジ部を外して調整すれば、いちいち風鈴自体を取り外さないで済むからである。
【図面の簡単な説明】
【０２００】
【図１】従来の鐘状の携帯式熊よけ鈴の斜視図である。
【図２】鈴の音が鳴らない状態にした場合の本発明の断面図である。
【図３】鈴の音が鳴る状態にした場合の本発明の斜視図である。
【符号の説明】
【０３００】  １  鈴本体        ２  孔      ３  雌ネジ部      ４  開口部枠
１０  振り子      １１  吊り下げ具      １２  雄ネジ部
１３  振り子吊り下げ部      １４  孔      １５  孔      １６  リング
１７  突起部      １８  孔
１００  鈴本体    ２００  振り子    ３００  突起部    ４００  孔
【図１】
2005328815.tif 000003
【図２】
2005328815.tif 000004
【図３】
2005328815.tif 000005